(57)【要約】【課題】固定端末と携帯端末との情報授受の時間を短縮し、ユーザが素早く所望する情報を取得すること。【解決手段】携帯端末２と、固定端末３との間で近接無線通信を行う情報通信システム１であって、固定端末３は、情報を蓄積するデータベース３１と、携帯端末２からの情報要求を受信する情報要求受信部３４と、情報要求受信部３４により受信した携帯端末２からの情報要求によって情報をデータベース３１から読み出して携帯端末２に送信する情報送信部３５と、外部インタフェース３０、データベース３１、情報要求受信部３４および情報送信部３５を除いて休止状態とする電源制御部３３と、を備え、携帯端末２は、固定端末３に対し、情報を要求する情報要求手段と、情報送信手段から送信された情報を受信する情報受信手段と、を制御部１６に備える。【選択図】図１
2011035483.tif 000002
【特許請求の範囲】
【請求項１】
携帯端末と、固定端末との間で近接無線通信を行う情報通信システムであって、
上記固定端末は、
情報を蓄積する情報蓄積手段と、
上記携帯端末からの情報要求を受信する情報要求受信手段と、
上記情報要求受信手段により受信した上記携帯端末からの情報要求によって上記情報を上記情報蓄積手段から読み出して上記携帯端末に送信する情報送信手段と、
上記情報蓄積手段、上記情報要求受信手段および上記情報送信手段を除いて休止状態とする電源制御手段と、
を備え、
上記携帯端末は、
上記固定端末に対し、上記情報を要求する情報要求手段と、
上記情報送信手段から送信された上記情報を受信する情報受信手段と、
を備える、
ことを特徴とする情報配信システム。
【請求項２】
携帯端末と、第一および第二の固定端末との間で近接無線通信を行う情報通信システムであって、
上記第一の固定端末は、
情報を蓄積する情報蓄積手段と、
携帯端末からの情報要求を受信する情報要求受信手段と、
上記情報要求受信手段により受信した携帯端末からの情報要求によって上記情報を上記情報蓄積手段から読み出して上記携帯端末に送信する第一の情報送信手段と、
上記情報蓄積手段、上記情報要求受信手段および上記第一の情報送信手段を除いて休止状態とする電源制御手段と、
を備え、
上記第二の固定端末は、
上記携帯端末に対して上記情報を要求する第一の情報要求手段と、
上記携帯端末から上記情報を受信する第一の情報受信手段と、
を備え、
上記携帯端末は、
上記第二の固定端末の上記第一の情報要求手段からの要求を受け付ける手段と、
上記第一の固定端末に対し、上記情報を要求する第二の情報要求手段と、
上記第一の情報送信手段から送信された上記情報を受信する第二の情報受信手段と、
上記第二の固定端末に対し、上記第二の情報受信手段により受信した上記情報を送信する第二の情報送信手段と、
を備える、
ことを特徴とする情報配信システム。
【請求項３】
請求項１または２記載の情報配信システムにおいて、
前記固定端末は、前記情報蓄積手段に前記情報を蓄積する際に、所定のカテゴリに分類して蓄積し、
前記携帯端末は、前記情報要求手段により前記情報を要求する際に、上記所定のカテゴリを指定して前記情報を要求する、
ことを特徴とする情報配信システム。
【請求項４】
携帯端末との間で近接無線通信を行う固定端末であって、
情報を蓄積する情報蓄積手段と、
上記携帯端末からの情報要求を受信する情報要求受信手段と、
上記情報要求受信手段により受信した上記携帯端末からの情報要求によって上記情報を上記情報蓄積手段から読み出して上記携帯端末に送信する情報送信手段と、
上記情報蓄積手段、上記情報要求受信手段および上記情報送信手段を除いて休止状態とする電源制御手段と、
を備える、
ことを特徴とする固定端末。
【請求項５】
請求項４記載の固定端末において、
前記情報蓄積手段に前記情報を蓄積する際に、所定のカテゴリに分類して蓄積する、
ことを特徴とする固定端末。
【請求項６】
携帯端末と、固定端末との間で近接無線通信を行う情報配信システムで実行される情報配信方法であって、
上記固定端末が、
情報を蓄積する情報蓄積ステップと、
上記携帯端末からの情報要求を受信する情報要求受信ステップと、
上記情報要求受信ステップの処理により受信した上記携帯端末からの情報要求によって上記情報を上記携帯端末に送信する情報送信ステップと、
上記情報要求受信ステップの処理および上記情報送信ステップの処理を除いて休止状態とする電源制御ステップと、
を実行し、
上記携帯端末が、
上記固定端末に対し、上記情報を要求する情報要求ステップと、
上記情報送信ステップの処理により送信された上記情報を受信する情報受信ステップと、
を実行する、
ことを特徴とする情報配信方法。
【請求項７】
携帯端末と、第一および第二の固定端末との間で近接無線通信を行う情報配信システムで実行される情報配信方法であって、
上記第一の固定端末が、
情報を蓄積する情報蓄積ステップと、
上記携帯端末からの情報要求を受信する情報要求受信ステップと、
上記情報要求受信ステップの処理により受信した上記携帯端末からの情報要求によって上記情報を上記携帯端末に送信する第一の情報送信ステップと、
上記情報要求受信ステップの処理および上記第一の情報送信ステップの処理を除いて休止状態とする電源制御ステップと、
を実行し、
上記第二の固定端末が、
上記携帯端末に対して上記情報を要求する第一の情報要求ステップと、
上記携帯端末から上記情報を受信する第一の情報受信ステップと、
を実行し、
上記携帯端末が、
上記第二の固定端末の上記第一の情報要求ステップの処理により要求を受け付けるステップと、
上記第一の固定端末に対し、上記情報を要求する第二の情報要求ステップと、
上記第一の情報送信ステップの処理により送信された上記情報を受信する第二の情報受信ステップと、
上記第二の固定端末に対し、上記第二の情報受信ステップの処理により受信した上記情報を送信する第二の情報送信ステップと、
を実行する、
ことを特徴とする情報配信方法。
【請求項８】
情報処理装置にインストールすることにより、その情報処理装置に、請求項４または５記載の固定端末の機能を実現させる、
ことを特徴とするプログラム。
【発明の詳細な説明】
【技術分野】
【０００１】
本発明は、情報配信システム、固定端末および情報配信方法ならびにプログラムに関する。
【背景技術】
【０００２】
本明細書では、ユーザが家などで固定的な位置に設置して用いる持ち運びを前提としない端末を固定端末と呼ぶ。これに対し、ユーザが持ち運ぶことを前提とする携帯電話、ＰＤＡ(Personal Digital Assistant)、ＰＮＤ(Portable Navigation Device)、携帯型メディアプレイヤなどを携帯端末と呼ぶ。
【０００３】
たとえば固定端末は情報蓄積装置であり、大容量のメモリを有し、インターネットなどを介して情報提供装置に接続し、ユーザが所望する情報を取得するものである。また、携帯端末は情報再生装置であり、固定端末から取得した情報を音声出力および／または画像表示してユーザに提供するものである。このような固定端末と携帯端末とで情報配信システムが構成される。ユーザが所望する情報とは、たとえばニュース情報や楽曲情報などである。
【０００４】
従来の固定端末から携帯端末への情報の転送の際には、まず、携帯端末と固定端末とが接続される。接続方法としては、ケーブルによる有線接続や電磁波や光を用いた無線接続がある。
【０００５】
固定端末と携帯端末とが接続されると、携帯端末から固定端末に対してキーワードが入力される。固定端末は、携帯端末から入力されたキーワードに一致する情報を検索する。固定端末は、携帯端末に対して検索結果一覧の転送を行う。携帯端末は、固定端末から転送された検索結果一覧の中に所望する情報が有る場合、携帯端末は、固定端末に対して所望する情報の転送要求を行う。固定端末は、携帯端末からの情報の転送要求を受けて携帯端末に対してその情報を転送する。一方、携帯端末は、固定端末から転送された検索結果一覧の中に所望する情報が無い場合、固定端末に対してキーワードの再入力を行う（たとえば特許文献１参照）。
【先行技術文献】
【特許文献】
【０００６】
【特許文献１】特開２００２−３４４６６３号公報
【発明の概要】
【発明が解決しようとする課題】
【０００７】
上述したように、従来は、ユーザの所望する情報が見つかるまでには、携帯端末と固定端末との間で、キーワード入力→検索→検索結果の転送→キーワードの再入力といった手順を繰り返す必要がある。これによれば、ごく短時間のうちに携帯端末が固定端末から所望する情報を取得することは困難である。
【０００８】
また、一般的に携帯端末の操作部、表示部は小さく、それらの操作性、視認性は高いものではない。そのような状況下において、再三にわたるキーワードの入力などの作業は、ユーザにとって、きわめて煩わしい作業である。
【０００９】
また、携帯端末と固定端末との間でキーワードの入力および検索結果の転送といった通信を行うためには、固定端末が起動していることが必須要件である。すなわち、ユーザが携帯端末を用いて固定端末から情報を取得しようとしたときに固定端末が休止中であれば、ユーザは固定端末を起動させる必要がある。しかしながら、一般的に、固定端末は、ＲＯＭ(Read Only Memory)などからＲＡＭ(Random Access Memory)などに制御プログラムを読み込んで動作するコンピュータ装置によって構成されている。このため休止中であった固定端末は、稼働するまでの立ち上がりに時間を要するものである。よって、ユーザは固定端末の立ち上がりを待つというきわめて煩わしい手順を強いられる。
【００１０】
本発明は、このような背景の下に行われたものであって、固定端末と携帯端末との情報授受の時間を短縮し、ユーザが素早く所望する情報を取得することができる情報配信システム、固定端末および情報配信方法ならびにプログラムを提供することを目的とする。
【課題を解決するための手段】
【００１１】
本発明の１つの観点は、情報配信システムとしての観点である。すなわち、本発明の情報配信システムは、携帯端末と、固定端末との間で近接無線通信を行う情報配信システムであって、固定端末は、情報を蓄積する情報蓄積手段と、携帯端末からの情報要求を受信する情報要求受信手段と、情報要求受信手段により受信した携帯端末からの情報要求によって情報を情報蓄積手段から読み出して携帯端末に送信する情報送信手段と、情報蓄積手段、情報要求受信手段および情報送信手段を除いて休止状態とする電源制御手段と、を備え、携帯端末は、固定端末に対し、情報を要求する情報要求手段と、情報送信手段から送信された情報を受信する情報受信手段と、を備えるものである。
【００１２】
あるいは、本発明の情報配信システムは、携帯端末と、第一および第二の固定端末との間で近接無線通信を行う情報配信システムであって、第一の固定端末は、情報を蓄積する情報蓄積手段と、携帯端末からの情報要求を受信する情報要求受信手段と、情報要求受信手段により受信した携帯端末からの情報要求によって情報を情報蓄積手段から読み出して携帯端末に送信する第一の情報送信手段と、情報蓄積手段、情報要求受信手段および第一の情報送信手段を除いて休止状態とする電源制御手段と、を備え、第二の固定端末は、携帯端末に対して情報を要求する第一の情報要求手段と、携帯端末から情報を受信する第一の情報受信手段と、を備え、携帯端末は、第二の固定端末の第一の情報要求手段からの要求を受け付ける手段と、第一の固定端末に対し、情報を要求する第二の情報要求手段と、第一の情報送信手段から送信された情報を受信する第二の情報受信手段と、第二の固定端末に対し、第二の情報受信手段により受信した情報を送信する第二の情報送信手段と、を備えるものである。
【００１３】
本発明の情報配信システムでは、固定端末は、情報蓄積手段に情報を蓄積する際に、所定のカテゴリに分類して蓄積し、携帯端末は、情報要求手段により情報を要求する際に、所定のカテゴリを指定して情報を要求することができる。
【００１４】
本発明の他の観点は、固定端末としての観点である。すなわち、本発明の固定端末は、携帯端末との間で近接無線通信を行う固定端末であって、情報を蓄積する情報蓄積手段と、携帯端末からの情報要求を受信する情報要求受信手段と、情報要求受信手段により受信した携帯端末からの情報要求によって情報を情報蓄積手段から読み出して携帯端末に送信する情報送信手段と、情報蓄積手段、情報要求受信手段および情報送信手段を除いて休止状態とする電源制御手段と、を備えるものである。
【００１５】
本発明の固定端末では、情報蓄積手段に情報を蓄積する際に、所定のカテゴリに分類して蓄積することができる。
【００１６】
本発明のさらに他の観点は、情報配信方法としての観点である。すなわち、本発明の情報配信方法は、携帯端末と、固定端末との間で近接無線通信を行う情報配信システムで実行される情報配信方法であって、固定端末が、情報を蓄積する情報蓄積ステップと、携帯端末からの情報要求を受信する情報要求受信ステップと、情報要求受信ステップの処理により受信した携帯端末からの情報要求によって情報を携帯端末に送信する情報送信ステップと、情報要求受信ステップの処理および情報送信ステップの処理を除いて休止状態とする電源制御ステップと、を実行し、携帯端末が、固定端末に対し、情報を要求する情報要求ステップと、情報送信ステップの処理により送信された情報を受信する情報受信ステップと、を実行するものである。
【００１７】
あるいは、本発明の情報配信方法は、携帯端末と、第一および第二の固定端末との間で近接無線通信を行う情報配信システムで実行される情報配信方法であって、第一の固定端末が、情報を蓄積する情報蓄積ステップと、携帯端末からの情報要求を受信する情報要求受信ステップと、情報要求受信ステップの処理により受信した携帯端末からの情報要求によって情報を携帯端末に送信する第一の情報送信ステップと、情報要求受信ステップの処理および第一の情報送信ステップの処理を除いて休止状態とする電源制御ステップと、を実行し、第二の固定端末が、携帯端末に対して情報を要求する第一の情報要求ステップと、携帯端末から情報を受信する第一の情報受信ステップと、を実行し、携帯端末が、第二の固定端末の第一の情報要求ステップの処理により要求を受け付けるステップと、第一の固定端末に対し、情報を要求する第二の情報要求ステップと、第一の情報送信ステップの処理により送信された情報を受信する第二の情報受信ステップと、第二の固定端末に対し、第二の情報受信ステップの処理により受信した情報を送信する第二の情報送信ステップと、を実行するものである。
【００１８】
本発明のさらに他の観点は、プログラムである。すなわち、本発明のプログラムは、情報処理装置にインストールすることにより、その情報処理装置に、本発明の固定端末の機能を実現させるものである。
【発明の効果】
【００１９】
本発明によれば、固定端末と携帯端末との情報授受の時間を短縮し、ユーザが素早く所望する情報を取得することができる。
【図面の簡単な説明】
【００２０】
【図１】本発明の第一の実施の形態に係る情報配信システムの全体構成図である。
【図２】図１に示す情報配信システムの全体的な動作手順を説明するためのタイミングチャートを示す図である。
【図３】図１に示す情報配信システムの固定端末に新規情報を記憶させる際の動作手順を示すフローチャートを示す図である。
【図４】図１に示す情報配信システムの固定端末の動作手順を示すフローチャートを示す図である。
【図５】図１に示す情報配信システムの携帯端末の動作手順を示すフローチャートを示す図である。
【図６】図１に示す情報配信システムの固定端末の設置形態の一例を示す図である。
【図７】本発明の第二の実施の形態に係る情報配信システムの全体構成図である。
【図８】図７に示す情報配信システムの全体的な動作手順を説明するためのタイミングチャートを示す図である。
【図９】従来の情報配信システムの全体的な動作手順を説明するためのフローチャートを示す図である。
【図１０】図９に示す情報配信システムの固定端末の動作手順を示すフローチャートを示す図である。
【図１１】図９に示す情報配信システムの携帯端末の動作手順を示すフローチャートを示す図である。
【発明を実施するための形態】
【００２１】
（従来の固定端末５０から携帯端末５１への情報の転送について）
本発明の実施の形態を説明するのに先立って、従来の固定端末５０から携帯端末５１への情報の転送について説明し、その問題点を説明する。
【００２２】
従来の固定端末５０から携帯端末５１への情報の転送手順について図９のフローチャートを参照しながら説明する。
【００２３】
Ｓｔａｒｔ：固定端末５０および携帯端末５１が双方共に稼働状態になると、固定端末５０および携帯端末５１は共にステップＳ１００の処理へ移行する。
【００２４】
ステップＳ１００：携帯端末５１と固定端末５０とが接続されると、携帯端末５１は、ステップＳ１０１の処理へ移行する。接続方法としては、ケーブルによる有線接続や電磁波や光を用いた無線接続がある。
【００２５】
ステップＳ１０１：携帯端末５１が固定端末５０に対してキーワードを入力すると、固定端末３は、ステップＳ１０２の処理へ移行する。
【００２６】
ステップＳ１０２：固定端末５０が携帯端末５１から入力されたキーワードに一致する情報を検索すると、固定端末３は、ステップＳ１０３の処理へ移行する。
【００２７】
ステップＳ１０３：固定端末５０が携帯端末５１に対して検索結果の転送を行うと、携帯端末５１は、ステップＳ１０４の処理へ移行する。
【００２８】
ステップＳ１０４：携帯端末５１は、固定端末５０から転送された情報が所望する情報か否か判断する。すなわち、携帯端末５１は、固定端末５０から転送された情報が所望する情報である場合（ステップＳ１０４でＹｅｓ）、ステップＳ１０５の処理へ移行する。一方、携帯端末５１は、固定端末５０から転送された情報が所望する情報ではない場合（ステップＳ１０４でＮｏ）、ステップＳ１０７の処理へ移行する。
【００２９】
ステップＳ１０５：携帯端末５１は、固定端末５０に対して情報転送要求を行い、処理を終了する（Ｅｎｄ）。
【００３０】
ステップＳ１０６：固定端末５０は、携帯端末５１に対して情報転送を行い、処理を終了する（Ｅｎｄ）。
【００３１】
ステップＳ１０７：携帯端末５１は、キーワードの再入力が行われるとステップＳ１０１の処理へ移行する。
【００３２】
このような従来の情報配信システムの例については、例えば、特許文献１に開示されている。なお、ステップＳ１００とステップＳ１０１とは順序が逆転してもよい。
【００３３】
次に、固定端末５０の動作手順を図１０のフローチャートに示す。
【００３４】
Ｓｔａｒｔ：固定端末５０は、稼働状態になるとステップＳ２００の処理へ移行する。
【００３５】
ステップＳ２００：固定端末５０は、携帯端末５１との接続が確立されているか否か判断する。すなわち、固定端末５０は、携帯端末５１との接続が確立されている場合（ステップＳ２００でＹｅｓ）、ステップＳ２０１の処理へ移行する。一方、固定端末５０は、携帯端末５１との接続が確立されていない場合（ステップＳ２００でＮｏ）、ステップＳ２００の処理を繰り返し実行する。
【００３６】
ステップＳ２０１：固定端末５０は、携帯端末５１からデータを検索するためのキーワードを取得しているか否かを判断する。すなわち、固定端末５０は、携帯端末５１からデータを検索するためのキーワードを取得している場合（ステップＳ２０１でＹｅｓ）、ステップＳ２０２の処理へ移行する。一方、固定端末５０は、携帯端末５１からデータを検索するためのキーワードを取得していない場合（ステップＳ２０１でＮｏ）、処理を終了する（ＥＮＤ）。
【００３７】
ステップＳ２０２：固定端末５０は、取得したキーワードに基づき情報の検索を行い、ステップＳ２０３の処理へ移行する。
【００３８】
ステップＳ２０３：固定端末５０は、携帯端末５１に対して検索結果一覧を送信し、ステップＳ２０４の処理へ移行する。
【００３９】
ステップＳ２０４：固定端末５０は、携帯端末５１からの選択結果を受信したか否かを判断する。すなわち、固定端末５０は、携帯端末５１からの選択結果を受信した場合（ステップＳ２０４でＹｅｓ）、ステップＳ２０５の処理へ移行する。一方、固定端末５０は、携帯端末５１からの選択結果を受信しない場合（ステップＳ２０４でＮｏ）、ステップＳ２０６の処理へ移行する。
【００４０】
ステップＳ２０５：固定端末５０は、携帯端末５１によって選択された情報を携帯端末５１に転送して処理を終了する（ＥＮＤ）。
【００４１】
ステップＳ２０６：固定端末５０は、携帯端末５１に検索された情報を全て転送して処理を終了する（ＥＮＤ）。
【００４２】
なお、ステップＳ２０２の処理をさらに詳細に説明すると以下のとおりである。
【００４３】
Ｓｔａｒｔ：固定端末５０は、ステップＳ２０２の処理が開始されるとステップＳ２０７の処理へ移行する。
【００４４】
ステップＳ２０７：固定端末５０は、データを検索するためのキーワードに合致する情報が有るか否か判断する。すなわち、固定端末５０は、データを検索するためのキーワードに合致する情報が有る場合（ステップＳ２０７でＹｅｓ）、ステップＳ２０８の処理へ移行する。一方、固定端末５０は、データを検索するためのキーワードに合致する情報が無い場合（ステップＳ２０７でＮｏ）、処理を終了し（ＥＮＤ）、ステップＳ２０３の処理へ移行する。
【００４５】
ステップＳ２０８：固定端末５０は、他のキーワードが有るか否かを判断する。すなわち、固定端末５０は、他のキーワードが無い場合（ステップＳ２０８でＹｅｓ）、ステップＳ２０９の処理へ移行する。一方、固定端末５０は、他のキーワードが有る場合（ステップＳ２０８でＮｏ）、ステップＳ２０７の処理へ戻る。
【００４６】
ステップＳ２０９：固定端末５０は、転送対象情報を決定して処理を終了し（ＥＮＤ）、ステップＳ２０３の処理へ移行する。
【００４７】
次に、携帯端末５１の動作手順を図１１のフローチャートに示す。
【００４８】
Ｓｔａｒｔ：携帯端末５１は、稼働を開始するとステップＳ３００の処理へ移行する。
【００４９】
ステップＳ３００：携帯端末５１は、データ検索のためのキーワードの入力があるとステップＳ３０１の処理へ移行する。
【００５０】
ステップＳ３０１：携帯端末５１は、固定端末５０との接続が確立しているか否かを判断する。すなわち、携帯端末５１は、固定端末５０との接続が確立している場合（ステップＳ３０１でＹｅｓ）、ステップＳ３０２の処理へ移行する。一方、携帯端末５１は、固定端末５０との接続が確立していない場合（ステップＳ３０１でＮｏ）、ステップＳ３０１の処理を繰り返し実行する。
【００５１】
ステップＳ３０２：携帯端末５１は、データを検索するためのキーワードを固定端末５０に送信してステップＳ３０３の処理へ移行する。
【００５２】
ステップＳ３０３：携帯端末５１は、固定端末５０から検索結果一覧を取得したか否かを判断する。すなわち、携帯端末５１は、固定端末５０から検索結果一覧を取得した場合（ステップＳ３０３でＹｅｓ）、ステップＳ３０４の処理へ移行する。一方、携帯端末５１は、固定端末５０から検索結果一覧を取得していない場合（ステップＳ３０３でＮｏ）、ステップＳ３０３の処理を繰り返し実行する。なお、ステップＳ３０３の処理を繰り返し実行する場合、繰り返し時間には制限を設け、タイムアウトしたら処理を中断することが好ましい。
【００５３】
ステップＳ３０４：携帯端末５１は、検索結果一覧から情報が選択されたか否かを判断する。すなわち、携帯端末５１は、検索結果一覧から情報が選択された場合（ステップＳ３０４でＹｅｓ）、ステップＳ３０５の処理へ移行する。一方、携帯端末５１は、検索結果一覧から情報が選択されなかった場合（ステップＳ３０４でＮｏ）、ステップＳ３０７の処理へ移行する。
【００５４】
ステップＳ３０５：携帯端末５１は、選択結果を固定端末５０に送信し、ステップＳ３０６の処理へ移行する。
【００５５】
ステップＳ３０６：携帯端末５１は、固定端末５０から転送された選択された情報を取得して処理を終了する（ＥＮＤ）。
【００５６】
ステップＳ３０７：携帯端末５１は、固定端末５０から検索された情報を全て取得して処理を終了する（ＥＮＤ）。
【００５７】
従来は、図９のフローチャートに示すように、ユーザの所望する情報が見つかるまでには、携帯端末５１と固定端末５０との間で、キーワード入力（ステップＳ１０１）、検索（ステップＳ１０２）、検索結果の転送（ステップＳ１０３）、キーワードの再入力（ステップＳ１０７）といった手順を繰り返す必要がある。これによれば、ごく短時間のうちに携帯端末５１が固定端末５０から所望する情報を取得することは困難である。
【００５８】
また、一般的に携帯端末５１の操作部、表示部は小さく、それらの操作性、視認性は高いものではない。そのような状況下において、再三にわたるキーワードの入力などの作業は、きわめて煩わしい作業である。
【００５９】
また、携帯端末５１と固定端末５０との間でキーワードの入力および検索結果の転送といった通信を行うためには、固定端末５０が起動していることが必須要件である。
【００６０】
すなわち、ユーザが携帯端末５１を用いて固定端末５０から情報を取得しようとしたときに固定端末５０が休止中であれば、ユーザは固定端末５０を起動させる必要がある。しかしながら、一般的に、固定端末５０は、ＲＯＭなどからＲＡＭなどに制御プログラムを読み込んで動作するコンピュータ構成を有している。このため休止中であった固定端末５０は、稼働するまでの立ち上がりに時間を要するものである。よって、ユーザは固定端末５０の立ち上がりを待つというきわめて煩わしい手順を強いられる。
【００６１】
（本発明の実施の形態に係る情報配信システム１の構成について）
上述した従来の問題点を解決することができる本発明の実施の形態に係る情報配信システム１の構成を図１を参照して説明する。情報配信システム１は、携帯端末２、固定端末３を備える。携帯端末２は、外部インタフェース１０（請求項でいう情報要求手段および情報受信手段を一部に含む）、外部入力端子１１、操作部１２、表示部１３、出力部１４、記憶部１５、制御部１６（請求項でいう情報要求手段および情報受信手段を一部に含む）、エンコーダ／デコーダ１７、ディジタル／アナログ変換部１８、アナログ／ディジタル変換部１９、増幅部２０を備える。
【００６２】
また、固定端末３は、外部インタフェース３０（請求項でいう情報要求受信手段および情報送信手段を一部に含む）、データベース３１（請求項でいう情報蓄積手段）、制御部３２（請求項でいう情報要求受信手段および情報送信手段を一部に含む）、電源制御部３３（請求項でいう電源制御手段）、情報要求受信部３４（請求項でいう情報要求受信手段）、情報送信部３５（請求項でいう情報送信手段）、ネットワーク接続部３６を備える。また、固定端末３は、ネットワーク接続部３６を介してネットワーク４に接続されている。ネットワーク４は、たとえばインターネット、イントラネットなどであり、ネットワーク接続部３６は、ネットワーク４を介して不図示の情報提供装置などに接続可能となっている。
【００６３】
なお、携帯端末２は、例えば、ユーザが持ち歩く携帯電話、ＰＤＡ、ＰＮＤ、携帯型メディアプレイヤなどである。また、固定端末３は、特定の場所に固定的に設置されている持ち運びを前提としない端末であり、たとえばユーザの自宅などに設置された情報蓄積装置である。より具体的には、固定端末３は、インターネット、イントラネットなどのネットワーク４に接続されることにより、ネットワーク４を介してニュース情報および／または楽曲情報などを取得して蓄積することができる情報蓄積装置であるとして説明する。
【００６４】
あるいは、ネットワーク４の代わりに、テレビチューナなどに接続されてテレビ放送などから情報を取得するようにしてもよい。この場合には、ネットワーク接続部３６は、テレビチューナ接続部になる。
【００６５】
携帯端末２の外部インタフェース１０は、他機器との接続インタフェースである。例えば、他機器は固定端末３である。また、固定端末３と携帯端末２との間の接続方法については、近接無線通信を用いる。近接無線通信では、外部インタフェース１０を他機器に対して３ｃｍ以内に接近させ、実行レート３７５Ｍｂｐｓ（最大５６０Ｍｂｐｓ）のデータ転送を可能とする方式（例えば、ＴｒａｎｓｆｅｒＪｅｔ（登録商標））などがある。
【００６６】
外部入力端子１１は、アナログ信号の入力端子である。例えば、携帯端末２が携帯電話であればマイクロフォンの入力端子になる。
【００６７】
操作部１２は、文字、数字、記号などの入力キーやスクロール方向を指定するための十字キー、および／または、タッチパネルを備える。
【００６８】
表示部１３は、画像情報やテキスト情報を表示するための表示画面を備える。
【００６９】
出力部１４は、アナログ信号の出力部である。例えば、携帯端末２が携帯電話であればスピーカやイヤホンである。あるいは、出力部１４は、スピーカやイヤホンの接続端子であってもよい。
【００７０】
記憶部１５は、予め携帯端末２において設定されている各種情報や固定端末３から転送された各種情報を記憶するためのメモリを備える。なお、メモリとしては、ＲＯＭ、ＲＡＭ、フラッシュメモリなどの不揮発性メモリ、ＨＤＤ(Hard Disk Drive)などである。
【００７１】
制御部１６は、各部を制御するためのＣＰＵ(Central Processing Unit)やＤＳＰ(Digital Signal Processor)を備える。ＣＰＵまたはＤＳＰは、ＲＯＭなどからＲＡＭなどに制御プログラムを読み込んで動作する。これにより制御部１６は、携帯端末２を携帯電話、ＰＤＡ、ＰＮＤまたは携帯型メディアプレイヤなどとして動作させることができる。
【００７２】
エンコーダ／デコーダ１７は、記憶部１５に記憶されている符号化されたディジタル信号をデコードしたり、あるいは、記憶部１５に記憶するディジタル信号をエンコードする機能を備える。
【００７３】
ディジタル／アナログ変換部１８は、エンコーダ／デコーダ１７から出力されるディジタル信号をアナログ信号に変換して増幅部２０に出力する。アナログ／ディジタル変換部１９は、外部入力端子１１から入力されるアナログ信号をディジタル信号に変換してエンコーダ／デコーダ１７に出力する。
【００７４】
増幅部２０は、ディジタル／アナログ変換部１８から出力されるアナログ信号を増幅して出力部１４に出力する。
【００７５】
固定端末３の外部インタフェース３０は、携帯端末２の外部インタフェース１０と接続するための機能を有する。携帯端末２の外部インタフェース１０と同様に、近接無線通信などの無線通信を用いる。
【００７６】
データベース３１は、カテゴリ毎の各種情報が記憶されるメモリ（例えば、ＲＯＭ、ＲＡＭ、フラッシュメモリ、ＨＤＤなど）を備える。また、データベース３１は複数の記憶領域を有し、各記憶領域がそれぞれのカテゴリに対応する。
【００７７】
制御部３２は、各部を制御するためのＣＰＵまたはＤＳＰを備える。ＣＰＵまたはＤＳＰは、ＲＯＭなどからＲＡＭなどに制御プログラムを読み込んで動作する。これにより制御部３２は、固定端末３を情報蓄積装置などとして動作させることができる。
【００７８】
電源制御部３３は、制御部３２の一部として設けられている。固定端末３がＯＦＦ状態であっても電源制御部３３は動作状態である。そして、電源制御部３３は、固定端末３がＯＮ状態であるときに電源（不図示）を各部に供給する以外に、電源制御部３３は、固定端末３がＯＦＦ状態であるときにも破線で囲まれた部分にある外部インタフェース３０、データベース３１、情報要求受信部３４および情報送信部３５に対して必要最少限の動作を行うことができる待機電力を供給する。
【００７９】
外部インタフェース３０は、待機電力が供給されていると、携帯端末２の外部インタフェース１０との間で近接無線通信を行うために必要となる誘導電界を発生させる。また、データベース３１は、待機電力が供給されていると、情報送信部３５の指示に応じて記憶している情報を読み出すことができる。
【００８０】
情報要求受信部３４は、外部インタフェース３０を介して携帯端末２から送信される情報要求を受け取ると情報送信部３５に対して所定の情報の送信を指示する。また、情報要求受信部３４は、待機電力が供給されていると外部インタフェース３０を介して携帯端末２から情報要求を受信することができる。
【００８１】
情報送信部３５は、情報要求受信部３４からの指示に基づいてデータベース３１に蓄積されている所定の情報を取り出し、外部インタフェース３０を介して携帯端末２に向けて送信する。また、情報送信部３５は、待機電力が供給されていると情報要求受信部３４からの指示に基づいてデータベース３１に記憶されている情報を読み出し、外部インタフェース３０を介して携帯端末２に転送することができる。
【００８２】
ネットワーク接続部３６は、固定端末３がＯＮ状態のときに、ネットワーク４から所定の情報を取得してデータベース３１に取得した所定の情報を記憶させる。ネットワーク接続部３６は、ネットワーク４と接続するためのインタフェース（不図示）を備えている。
【００８３】
（本発明の第一の実施の形態に係る情報配信システム１の動作について）
次に、本発明の第一の実施の形態に係る情報配信システム１の動作について図２のタイミングチャートを参照して説明する。
【００８４】
タイミングＴ１：固定端末３のデータベース３１は、ネットワーク接続部３６およびネットワーク４を介して所定の情報を取得する。
【００８５】
タイミングＴ２：固定端末３のデータベース３１は、取得した情報を分類してそれぞれ所定の記憶領域に蓄積する。
【００８６】
タイミングＴ３：固定端末３の電源制御部３３は、固定端末３の電源がＯＦＦ状態となった場合、待機モードを設定する。これにより、固定端末３の電源がＯＦＦ状態であっても外部インタフェース３０、情報要求受信部３４、情報送信部３５およびデータベース３１は待機状態（すなわち必要最少限の動作状態）となる。
【００８７】
タイミングＴ４：携帯端末２の制御部１６は、外部インタフェース部１０を固定端末３の外部インタフェース部３０に接近させることにより、情報要求として取得したい情報のカテゴリを固定端末３に送信する。
【００８８】
タイミングＴ５：固定端末３の情報要求受信部３４は、外部インタフェース部３０から携帯端末２の情報要求を受け取ると、情報送信部３５に指示を出して指定されたカテゴリの情報を転送準備する。
【００８９】
タイミングＴ６：固定端末３の情報送信部３５は、指定されたカテゴリの情報を外部インタフェース３０を介して携帯端末２に向けて送信する。
【００９０】
タイミングＴ７：携帯端末２の制御部１６は、外部インタフェース１０を介して固定端末３から情報を受け取るとこの情報を記憶部１５に記憶させる。
【００９１】
タイミングＴ８：携帯端末２の制御部１６は、記憶部１５に記憶した情報を表示部１３に表示させる。
【００９２】
次に、固定端末３のデータベース３１に新規情報を記憶する際の制御部３２の手順について図３のフローチャートを参照して説明する。
【００９３】
Ｓｔａｒｔ：制御部３２は、データベース３１が記憶内容を更新するための情報提供装置（不図示）とネットワーク接続部３６およびネットワーク４を介して接続されるとステップＳ１の処理へ移行する。
【００９４】
ステップＳ１：制御部３２は、情報提供装置（不図示）の情報に、データベース３１に記憶すべき新規情報が有るか否かを判断する。すなわち、制御部３２は、データベース３１に記憶すべき新規情報が有る場合（ステップＳ１でＹｅｓ）、ステップＳ２の処理へ移行する。一方、制御部３２は、データベース３１に記憶すべき新規情報が無い場合（ステップＳ１でＮｏ）、ステップＳ１の処理を繰り返し実行する。
【００９５】
ステップＳ２：制御部３２は、取得した新規情報のファイル名またはタグ情報などを解析してステップＳ３の処理へ移行する。
【００９６】
ステップＳ３：制御部３２は、データベース３１の分類に対応するカテゴリが有るか否かを判断する。すなわち、制御部３２は、データベース３１の分類に対応するカテゴリが有る場合（ステップＳ３でＹｅｓ）、ステップＳ４の処理へ移行する。一方、データベース３１の分類に対応するカテゴリが無い場合（ステップＳ３でＮｏ）、ステップＳ５の処理へ移行する。
【００９７】
ステップＳ４：制御部３２は、新規情報をデータベース３１の対応するカテゴリの記憶領域に記憶させて処理を終了する（ＥＮＤ）。
【００９８】
ステップＳ５：制御部３２は、データベース３１の分類に対応する新規カテゴリ候補が新規カテゴリ候補に有るか否かを判断する。ここで新規カテゴリ候補とは、固定端末３にとって不必要なカテゴリではないが、未だそのカテゴリに属する情報が記憶されていない場合、このようなカテゴリを新規カテゴリ候補と呼ぶ。すなわち、制御部３２は、データベース３１の分類に対応する新規カテゴリ候補が新規カテゴリ候補に有る場合（ステップＳ５でＹｅｓ）、ステップＳ６の処理へ移行する。一方、制御部３２は、データベース３１の分類に対応する新規カテゴリ候補が新規カテゴリ候補に無い場合（ステップＳ５でＮｏ）、ステップＳ７の処理へ移行する。
【００９９】
ステップＳ６：制御部３２は、データベース３１に対して新規カテゴリ候補の中から新規カテゴリを生成してステップＳ４の処理へ移行する。
【０１００】
ステップＳ７：制御部３２は、新規情報を「その他」のカテゴリに分類してステップＳ４の処理へ移行する。
【０１０１】
なお、ステップＳ７において「その他」のカテゴリに分類される情報とは、言い換えれば、固定端末３が有するカテゴリに相応しくないカテゴリの情報であるということである。よって、ステップＳ７において「その他」のカテゴリに分類する代わりに、当該情報を廃棄してもよい。
【０１０２】
次に、固定端末３の制御部３２、外部インタフェース３０、情報要求受信部３４および情報送信部３５の動作手順を図４のフローチャートを参照しながら説明する。
【０１０３】
Ｓｔａｒｔ：制御部３２は、固定端末３の電源がＯＦＦ状態になり待機モードが設定されると、ステップＳ１０の処理へ移行する。
【０１０４】
ステップＳ１０：制御部３２は、待機モード設定中の外部インタフェース３０を介して情報要求受信部３４が情報要求を受信したか否かを判断する。すなわち、制御部３２は、待機モード設定中の外部インタフェース３０を介して情報要求受信部３４が情報要求を受信した場合（ステップＳ１０でＹｅｓ）、ステップＳ１１の処理へ移行する。一方、制御部３２は、待機モード設定中の外部インタフェース３０を介して情報要求受信部３４が情報要求を受信していない場合（ステップＳ１０でＮｏ）、ステップＳ１０の処理を繰り返し実行する。
【０１０５】
ステップＳ１１：制御部３２は、情報要求受信部３４が受信した情報要求に含まれるカテゴリを参照し、データベース３１の分類に対応するカテゴリが有るか否かを判断する。すなわち、制御部３２は、情報要求受信部３４が受信した情報要求に含まれるカテゴリを参照し、データベース３１の分類に対応するカテゴリが有る場合（ステップＳ１１でＹｅｓ）、ステップＳ１２の処理へ移行する。一方、制御部３２は、情報要求受信部３４が受信した情報要求に含まれるカテゴリを参照し、データベース３１の分類に対応するカテゴリが無い場合、処理を終了する（ＥＮＤ）。
【０１０６】
ステップＳ１２：制御部３２は、情報要求受信部３４を用いて情報送信部３５に指示を行い、情報送信部３５は、データベース３１に蓄積されている対応するカテゴリに属する全情報を携帯端末２に送信して処理を終了する（ＥＮＤ）。
【０１０７】
次に、携帯端末２の制御部１６、外部インタフェース１０および記憶部１５の動作手順を図５のフローチャートを参照しながら説明する。
【０１０８】
Ｓｔａｒｔ：制御部１６は、ユーザによる情報要求のための操作が行われると、ステップＳ２０の処理へ移行する。
【０１０９】
ステップＳ２０：制御部１６は、操作部１２からユーザによるカテゴリ選択が行われるとステップＳ２１の処理へ移行する。
【０１１０】
ステップＳ２１：制御部１６は、外部インタフェース１０がカテゴリ情報を送信したか否かを判断する。すなわち、制御部１６は、外部インタフェース１０がカテゴリ情報を送信した場合（ステップＳ２１でＹｅｓ）、ステップＳ２２の処理へ移行する。一方、制御部１６は、外部インタフェース１０がカテゴリ情報を送信していない場合（ステップＳ２１でＮｏ）、ステップＳ２１の処理を繰り返し実行する。
【０１１１】
ステップＳ２２：制御部１６は、外部インタフェース１０が情報を受信したか否かを判断する。すなわち、制御部１６は、外部インタフェース１０が情報を受信した場合（ステップＳ２２でＹｅｓ）、ステップＳ２３の処理へ移行する。一方、制御部１６は、外部インタフェース１０が情報をしていない場合（ステップＳ２２でＮｏ）、ステップＳ２１の処理に戻る。
【０１１２】
なお、ステップＳ２１でカテゴリ情報を送信した（ステップＳ２１でＹｅｓ）にも関わらずステップＳ２２で情報の受信が無かった場合（ステップＳ２２でＮｏ）とは、通常、通信の途中でエラーなどが発生した場合が考えられる。このような場合には、ステップＳ２１へ戻り、再度、カテゴリ情報を送信することは有効である。しかしながら、機器の故障などが原因で、ステップＳ２１でカテゴリ情報を送信した（ステップＳ２１でＹｅｓ）にも関わらずステップＳ２２で情報の受信が無い場合（ステップＳ２２でＮｏ）も有り得る。このような場合に、制御部１６がカテゴリ情報の送信を長時間にわたり繰り返し続けることを回避するために、この繰り返し回数に上限を設けてもよい。
【０１１３】
ステップＳ２３：制御部１６は、受信した情報を記憶部１５に記憶して表示部１３に表示し、処理を終了する（ＥＮＤ）。
【０１１４】
（固定端末３の形態とカテゴリ設定の実施の形態について）
次に、情報配信システム１における固定端末３の形態とカテゴリ設定の実施の形態について図６を参照して説明する。図６は、固定端末３の設置形態の一例を示す図である。
【０１１５】
（１）ユーザの自宅に設置されたニュース番組録画装置としての固定端末３
この場合には、カテゴリは、たとえば「本日のニュース」、「１週間のニュース」、「６時間以内のニュース」、「１２時間以内のニュース」などである。携帯端末２の例としては、携帯電話、ＰＤＡ、ＰＮＤ、携帯型メディアプレイヤなどである。なお、ニュース番組録画装置とは、たとえばＤＶＤ／ＨＤＤ／ＢＤ(Blu-ray Disc)レコーダである。
【０１１６】
固定端末３は、稼働中（電源ＯＮ状態）にネットワーク接続部３６がネットワーク４に接続されることによってニュース番組録画を実行する（図２のタイミングＴ１）。この際、データベース３１は、予め定められているカテゴリ毎の記憶領域に分類してニュース番組の録画を実行する（図２のタイミングＴ２）。なお、ネットワーク４に代えてテレビチューナなどであってもよい。この場合、ネットワーク接続部３６は、テレビチューナとの接続部になる。
【０１１７】
固定端末３は、休止中（電源ＯＦＦ状態）であっても電源制御部３３は外部インタフェース３０、データベース３１、情報要求受信部３４および情報送信部３５については待機モード（すなわち必要最少限の動作状態）を設定する（図２のタイミングＴ３）。
【０１１８】
ユーザは、携帯端末２の操作部１２を操作して取得したい情報のカテゴリを携帯端末２に入力する。続いて、ユーザは、図６に示すように、固定端末３の上部にある外部インタフェース３０に対し、携帯端末２の外部インタフェース１０を接近させると、携帯端末２から固定端末３に対して情報要求として取得したい情報のカテゴリ送信が行われる（図２のタイミングＴ４）。
【０１１９】
固定端末３は、待機モード中の外部インタフェース３０を介して待機モード中の情報要求受信部３４により携帯端末２の情報要求を取得する。情報要求受信部３４が取得した携帯端末２の情報要求の指定されたカテゴリは情報送信部３５に伝えられる。情報送信部３５は、指定されたカテゴリの情報の転送準備を行う（図２のタイミングＴ５）。
【０１２０】
固定端末３のデータベース３１は、情報送信部３５の指示にしたがって所定のカテゴリの情報を読み出す。データベース３１から読み出された情報は、情報送信部３５によって外部インタフェース３０を介して携帯端末２へ転送される（図２のタイミングＴ６）。
【０１２１】
携帯端末２は、外部インタフェース１０を介して固定端末３からの情報を取得して記憶部１５に記憶させる（図２のタイミングＴ７）。さらに、携帯端末２は、記憶部１５に記憶した情報を表示部１３に表示させる（図２のタイミングＴ８）。
【０１２２】
（２）ユーザの自宅に設置されたホームサーバとしての固定端末３
ホームサーバには、ユーザが録画した映像、ユーザが撮影した画像、ユーザが録音した音声データ、ユーザが購入した楽曲データ、ユーザがテレビ放送より録画した録画データまたはユーザ文書など、各種データがタグ付けされて保存されている。
【０１２３】
たとえば、ユーザが携帯端末２において「キーワード＝旅行  ａｎｄ  欧州」ａｎｄ「ジャンル＝写真」と指定し、携帯端末２の外部インタフェース１０をホームサーバとしての固定端末３の外部インタフェース３０に接近させる。これにより、固定端末３の電源のＯＮ／ＯＦＦに関わらず、指定情報に合致するデータが固定端末３から携帯端末２へ転送される。
【０１２４】
あるいは、ユーザが携帯端末２において「ジャンル＝Ｒｏｃｋ  ａｎｄ  年代＝７０年代」と指定すると、該当する楽曲データに加えて、映像または画像などにおいても合致するデータが固定端末３からの転送対象のデータとなる。
【０１２５】
（本発明の第一の実施の形態に係る情報配信システム１の効果について）
次に、情報配信システム１の効果について説明する。情報配信システム１は、外部インタフェース３０、データベース３１、情報要求受信部３４および情報送信部３５を除いて休止状態（電源ＯＦＦ状態）とする固定端末３によって、固定端末３の立ち上がりを待つことなく、ユーザが素早く（近接無線通信の通信時間のみ）所望する情報を取得することができる。
【０１２６】
また、このときに、固定端末３は、情報を蓄積する際に、所定のカテゴリに分類して蓄積し、携帯端末２は、情報を要求する際に、所定のカテゴリを指定して情報を要求することにより、固定端末３は、携帯端末２の情報要求を受信してからの処理を簡単化できる。したがって、固定端末３は、休止状態（電源ＯＦＦ状態）であっても携帯端末２に対して所定の情報を提供することができる。
【０１２７】
また、近接無線通信は、たとえば実行レート３７５Ｍｂｐｓ（最大５６０Ｍｂｐｓ）の大容量のデータ転送を可能とするので、固定端末３における情報の絞り込みについては、さほどの精度を必要としない。これにより、携帯端末２から固定端末３へのキーワードの再入力などの検索の絞り込み作業を少なくすることができ、ユーザの利便性を向上させることができる。
【０１２８】
（本発明の第二の実施の形態に係る情報配信システム１Ａについて）
次に、本発明の第二の実施の形態に係る情報配信システム１Ａについて図７、図８を参照して説明する。情報配信システム１Ａは、情報配信システム１とは一部が異なる。以下では、第一の実施の形態と同一または同種の部材は同一または同一系の符号を用いて説明し、その説明を省略または簡略化し、かつ異なる部材について主に説明する。
【０１２９】
情報配信システム１Ａの構成は、図７に示すように、２台の固定端末３、３Ａと１台の携帯端末２Ａを備える。固定端末３については、第一の実施の形態と同じである。固定端末３Ａは、外部インタフェース３０Ａ、データベース３１Ａ、制御部３２Ａ、操作部３７および表示部３８を備える。これにより固定端末３Ａの制御部３２Ａは、ユーザの要求する情報を操作部３７からの操作入力によって認識する。また、制御部３２Ａは、ユーザの要求する情報を取得した後に、その情報を表示部３８に表示することができる。
【０１３０】
また、携帯端末２Ａは、携帯端末２と同じ構成であるが、携帯端末２Ａの制御部１６Ａは、固定端末３Ａから送信される情報要求を受け取り、これを固定端末３に転送する機能を有する。なお、携帯端末２の外部インタフェース１０と固定端末３Ａの外部インタフェース３０Ａとの間は近接無線通信によって接続されるものとする。
【０１３１】
すなわち、図８に示すように、固定端末３は、稼働中（電源ＯＮ状態）に、ネットワーク４から情報を取得し（タイミングＴ１０）、分類してデータベース３１に蓄積する（タイミングＴ１１）。ここで、固定端末３は、休止中（電源ＯＦＦ）であっても待機モードを設定する（タイミングＴ１２）。
【０１３２】
このような状況下において、携帯端末２および固定端末３Ａのユーザが固定端末３から情報を取得したい場合、固定端末３Ａの制御部３２Ａは、ユーザが操作部３７を操作して入力した取得したい情報を認識する。制御部３２Ａは、この情報を一時的にデータベース３１Ａに記憶しておいてもよい。
【０１３３】
ここで、携帯端末２Ａが固定端末３Ａに接近し、携帯端末２Ａの外部インタフェース１０と固定端末３Ａの外部インタフェース３０Ａとの間に通信が確立する。これを受けて制御部３２Ａは、固定端末３Ａのデータベース３１に記憶しておいた情報要求を外部インタフェース３０Ａを介して携帯端末２Ａに転送する（タイミングＴ１３）。携帯端末２Ａの制御部１６Ａは、固定端末３Ａから情報要求を受け取ると、これを一時的に記憶部１５に記憶させる。
【０１３４】
ここで、携帯端末２Ａが固定端末３に接近し、携帯端末２Ａの外部インタフェース１０と固定端末３の外部インタフェース３０とを接近させると、近接無線通信により、制御部１６Ａは、情報要求を固定端末３に転送する（タイミングＴ１４）。固定端末３の制御部３２は、指定されたカテゴリの情報を転送準備する（タイミングＴ１５）。続いて、固定端末３の制御部３２は、携帯端末２Ａに対して情報転送する（タイミングＴ１６）。携帯端末２Ａは、受け取った情報を記憶部１５に記憶させる。なお、Ｔ１４〜Ｔ１６の動作手順は、第一の実施の形態で説明したとおりである。また、携帯端末２Ａは、固定端末３から受け取った情報を記憶部１５に記憶し（タイミングＴ１７）、これを表示部１３に表示してもよい（タイミングＴ１８）。
【０１３５】
ここで再び、携帯端末２Ａが固定端末３Ａに接近し、携帯端末２Ａの外部インタフェース１０と固定端末３Ａの外部インタフェース３０Ａとの間に通信が確立する。固定端末３Ａの制御部３２Ａは、指定されたカテゴリの情報の受信準備をする（タイミングＴ１９）。携帯端末２Ａの制御部１６Ａは、記憶部１５に記憶してある先ほどの情報を固定端末３Ａに転送する（タイミングＴ２０）。固定端末３Ａの制御部３２Ａは、携帯端末２Ａから情報を受け取るとこの情報をデータベース３１Ａに格納する（タイミングＴ２１）。これにより、固定端末３Ａは、ユーザが所望する情報を表示することができる（タイミングＴ２２）。
【０１３６】
例えば、固定端末３Ａは車載された（車に取り付けるタイプの）ナビゲーション装置であるとする。そして、固定端末３は、ユーザの自宅に設置されたホームサーバ（図６参照）であるとする。このときに、固定端末３Ａ自体は車載されており、車外に設置されている固定端末３とは直接的には接続不可能である。
【０１３７】
このような状況下において、たとえば携帯電話である携帯端末２Ａを、ナビゲーション装置である固定端末３Ａに接近させることにより、固定端末３Ａのユーザが所望する情報を携帯端末２Ａに認識させる。これを車外にある固定端末３に接近させることにより、携帯端末２Ａは固定端末３からユーザが所望する情報を受け取ることができる。この携帯端末２Ａを車内にある固定端末３Ａに接近させることにより、携帯端末２Ａから固定端末３Ａにユーザが所望する情報が転送される。
【０１３８】
（本発明の第二の実施の形態に係る情報配信システム１Ａの効果について）
次に、情報配信システム１Ａの効果について説明する。情報配信システム１Ａでは、固定端末３Ａのユーザが所望する情報を、直接的には情報の送受信が不可能である固定端末３から携帯端末２Ａを仲介して固定端末３Ａが受け取ることができる。これにより、固定端末３Ａが取得可能となる情報種類を大幅に増やすことができる。
【０１３９】
また、この際、固定端末３が休止中であっても携帯端末２Ａは固定端末３から情報を取得できる。たとえば固定端末３Ａを搭載した車両を路上に駐車させたまま、ユーザが固定端末３の設置されている家内に入った場合でも携帯端末２は、ごく短時間（近接無線通信の通信時間のみ）に固定端末３から情報を取得できる。このためユーザは、家内から速やかに車両に戻ることができる。このように、ユーザの利便性を大幅に向上させることができる。
【０１４０】
（プログラムの実施の形態）
固定端末３の各部は、所定のプログラムにより動作する汎用の情報処理装置（ＣＰＵ、ＤＳＰ、マイクロプロセッサ（マイクロコンピュータ）など）によって構成されてもよい。例えば、汎用の情報処理装置は、メモリ、ＣＰＵ、入出力ポートなどを有する。汎用の情報処理装置のＣＰＵは、メモリなどから所定のプログラムとして制御プログラムを読み込んで実行する。これにより、汎用の情報処理装置には、固定端末３の各部の機能が実現される。また、その他の機能についてもソフトウェアにより実現可能な機能については汎用の情報処理装置とプログラムとによって実現することができる。
【０１４１】
なお、汎用の情報処理装置が実行する制御プログラムは、固定端末３の出荷前に、汎用の情報処理装置のメモリなどに記憶されたものであっても、固定端末３の出荷後に、汎用の情報処理装置のメモリなどに記憶されたものであってもよい。また、制御プログラムの一部が、固定端末３の出荷後に、汎用の情報処理装置のメモリなどに記憶されたものであってもよい。固定端末３の出荷後に、汎用の情報処理装置のメモリなどに記憶される制御プログラムは、例えば、ＣＤ−ＲＯＭなどのコンピュータ読取可能な記録媒体に記憶されているものをインストールしたものであっても、インターネットなどの伝送媒体を介してダウンロードしたものをインストールしたものであってもよい。
【０１４２】
また、制御プログラムは、汎用の情報処理装置によって直接実行可能なものだけでなく、ハードディスクなどにインストールすることによって実行可能となるものも含む。また、圧縮されたり、暗号化されたりしたものも含む。
【０１４３】
このように、プログラムと汎用の情報処理装置とによって固定端末３の機能を実現することにより、固定端末３を大量に生産する際の時間およびコストを低く抑えることができる。
【０１４４】
（変形例）
本発明の実施の形態は、その要旨を逸脱しない限り、様々に変形が可能である。例えば、携帯端末２Ａの外部インタフェース１０と固定端末３Ａの外部インタフェース３０との間にも近接無線通信を用いるとして説明したが、ここはその他の様々な通信方式としてもよい。例えば、Ｂｌｅｕｔｏｏｔｈ（登録商標）などを用いてもよい。また、赤外線などを利用した光通信を用いてもよい。あるいは、ケーブルを接続して有線通信を用いてもよい。
【０１４５】
また、上述した実施の形態では、固定端末３がネットワーク４などから情報を収集するとして説明した。これに対し、情報収集は他の装置によって行い、固定端末３は、情報の蓄積のみを行うようにしてもよい。
【０１４６】
たとえばネットワーク４に接続されたパーソナル・コンピュータ装置によって所定の条件を満たす情報を収集し、これによりデータベースを作成する。さらに、このパーソナル・コンピュータ装置によってデータベース内の情報をカテゴリに分類するなどして固定端末３に蓄積するのに適した形態の情報に変換し、これを固定端末３に転送するようにしてもよい。
【０１４７】
また、上述した実施の形態では、固定端末３がＤＶＤ／ＨＤＤ／ＢＤレコーダなどのニュース番組録画装置あるいはホームサーバであるとして説明した。これに対し、ＤＶＤ／ＨＤＤ／ＢＤレコーダなどのニュース番組録画装置あるいはホームサーバは他の装置であり、固定端末３は、情報の蓄積のみを行うようにしてもよい。
【０１４８】
たとえばＤＶＤ／ＨＤＤ／ＢＤレコーダなどのニュース番組録画装置あるいはホームサーバによって所定の条件を満たす情報を収集し、これによりデータベースを作成する。さらに、このニュース番組録画装置あるいはホームサーバによってデータベース内の情報をカテゴリに分類するなどして固定端末３に蓄積するのに適した形態の情報に変換し、これを固定端末３に転送するようにしてもよい。
【０１４９】
この場合には、図１のネットワーク接続部３６の代わりに、パーソナル・コンピュータ装置、ニュース番組録画装置あるいはホームサーバからの情報の転送を受け取る部材を備えることとなる。
【符号の説明】
【０１５０】
１、１Ａ…情報配信システム、２、２Ａ…携帯端末、３、３Ａ…固定端末、１０…外部インタフェース（情報要求手段の一部、情報受信手段の一部）、３０…外部インタフェース（情報要求受信手段の一部、情報送信手段の一部）、１６、１６Ａ…制御部（情報要求手段の一部、情報受信手段の一部）、３２、３２Ａ…制御部（情報要求受信手段の一部、情報送信手段の一部）、３１…データベース（情報蓄積手段）、３３…電源制御部（電源制御手段）、３４…情報要求受信部（情報要求手段）、３５…情報送信部（情報送信手段）
【図１】
2011035483.tif 000003
【図２】
2011035483.tif 000004
【図３】
2011035483.tif 000005
【図４】
2011035483.tif 000006
【図５】
2011035483.tif 000007
【図６】
2011035483.tif 000008
【図７】
2011035483.tif 000009
【図８】
2011035483.tif 000010
【図９】
2011035483.tif 000011
【図１０】
2011035483.tif 000012
【図１１】
2011035483.tif 000013